(57)【要約】【課題】基板用電気コネクタの勘合性や接触信頼性を確保しつつ基板間の距離を狭くできる電気回路基板を得る。【解決手段】端部に切欠き２を設けられた電気回路基板１と、外殻を構成する筐体４ａを有し、筐体４ａの一部が電気回路基板１の切欠き２に落し込まれて筐体４ａの上半分と下半分が電気回路基板１の上方、下方へそれぞれ突出する基板用電気コネクタ４と、筐体４ａの両側面に設けられて基板用電気コネクタ４を電気回路基板上１の定位置に載置させる固定用エッジ４ｅとを備える。【選択図】図２
2007115538.tif 000002
【特許請求の範囲】
【請求項１】
端部に切欠きを設けられた電気回路基板と、
外殻を構成する筐体を有し、該筐体の一部が前記電気回路基板の切欠きに落し込まれて前記筐体の上半分と下半分が前記電気回路基板の上方、下方へそれぞれ突出する基板用電気コネクタと、
前記筐体の両側面に設けられて前記基板用電気コネクタを前記電気回路基板上の定位置に載置させる固定用エッジと、を備えたことを特徴とする基板用電気コネクタの取付装置。
【請求項２】
基板用電気コネクタは筐体内に設けられて一端が結合口のコンタクトと接続し他端が前記後部底面を貫通して電気回路基板上のスルーホールと係合したコネクタピンを備えることを特徴とする請求項１記載の基板用電気コネクタの取付装置。
【請求項３】
基板電気コネクタは、コネクタピンが上下方向もしくは横方向に複数配列され、筐体内で互いが近接しないようにコ字形状に折り曲げられていることを特徴とする請求項１又は請求項２記載の基板用電気コネクタの取付装置。
【請求項４】
電気回路基板は固定ピン用のスルーホールを備え、
基板用電気コネクタは、後部底面から突出し前記固定ピン用スルーホールと係合する固定ピンを備えたことを特徴とする請求項１〜請求項３いずれかに記載の基板用電気コネクタの取付装置。
【請求項５】
電気回路基板は固定ピン用スルーホールを備え、
基板用電気コネクタは、固定用エッジ下面から突出し前記固定ピン用スルーホールと係合する固定ピンを備えたことを特徴とする請求項１〜請求項３いずれかに記載の基板用電気コネクタ取付装置。
【請求項６】
電気回路基板は複数枚重ねられ、基板用電気コネクタは重ならないように互い違いに配置されたことを特徴とする請求項１〜請求子５いずれかに記載の基板用電気コネクタの取付装置。
【発明の詳細な説明】
【技術分野】
【０００１】
この発明は、挿抜可能な基板用電気コネクタを有する基板用電気コネクタ取付装置に関する。
【背景技術】
【０００２】
従来の基板用電気コネクタ取付装置においては、確実に勘合できるロック機構を有し、且つ接触信頼性の高い産業機器用の基板用電気コネクタが多数使用されている。この基板用電気コネクタには挿抜の方向が上下方向のもの（垂直タイプ）と横方向のもの（水平タイプ）がある。電気回路基板を複数枚重ねて実装する場合、最上段以外の電気回路基板には挿抜の都合上水平タイプの基板用電気コネクタが基板端面に実装され使用される。また基板の端部に構成した切欠きに基板用電気コネクタの突出部を落とし込むとともに、その突出部にキー溝を構成することで、コネクタの雄、雌の嵌合方向が確実になる構成としている。（例えば、特許文献１）。
【０００３】
【特許文献１】特開２００２−２８０１００号公報
【発明の開示】
【発明が解決しようとする課題】
【０００４】
従来の基板用電気コネクタ取付装置では、電気回路基板に実装する産業機器用の基板用電気コネクタの勘合性や接触信頼性を確保した結果、外形が大きくなっている。このため複数枚重ねられた電気回路基板に水平タイプの基板用電気コネクタを実装する場合、基板用電気コネクタの外形高さに合わせて基板間スペーサーの長さを決めなくてはならず、従って電気回路基板間の距離は大きく確保することとなり、電気回路基板を収める筐体の高さを低くしたいときに問題となった。
【０００５】
この発明は、上述のような課題を解決するためになされたもので、基板用電気コネクタの勘合性や接触信頼性を確保しつつ基板間の距離を狭くできる基板用電気コネクタ取付装置を提供することを目的とする。
【課題を解決するための手段】
【０００６】
この発明に係る基板用電気コネクタ取付装置においては、端部に切欠きを設けられた電気回路基板と、外殻を構成する筐体を有し、筐体の一部が電気回路基板の切欠きに落し込まれて筐体の上半分と下半分が電気回路基板の上方、下方へそれぞれ突出する基板用電気コネクタと、筐体の両側面に設けられて基板用電気コネクタを電気回路基板上の定位置に載置させる固定用エッジと、を備えたものである。
【発明の効果】
【０００７】
この発明によれば、基板用電気コネクタの勘合性や接触信頼性を確保しつつ基板間の距離を狭くすることができる基板用電気コネクタ取付装置を得ることができる。
【発明を実施するための最良の形態】
【０００８】
実施の形態１．
図１はこの発明の実施の形態１における電気回路基板の端面を示す斜視図、図２はこの発明の実施の形態１における電気回路基板に基板用電気コネクタが実装された状態を示す斜視図、図３は図２の側面図、図４は基板用電気コネクタの縦断面図、図５は電気回路基板を複数枚積み重ねた状態を示す側面図である。
図において、１は水平方向に設けられ複数枚が積み重ねられた電気回路基板、２は電気回路基板１の端面に設けられた凹型切欠き、３は凹型切欠き２の近傍に設けられた二箇所のスルーホールである。４は電気回路基板１の端部に固定され、内部コネクタ端子の配列が上下二段の水平タイプの基板用電気コネクタで、相対する側の電気コネクタ（図示せず）が挿抜可能に係合するものである。４ａは基板用電気コネクタ４の外殻を構成し、所定個所が凹型切欠き２に係合する樹脂材（絶縁材）の筐体である。４ｂは筐体４ａ正面の上下二箇所が電気回路基板１端面外側に向かって開口し、基板用電気コネクタ４に相対する側の電気コネクタの所定個所と挿抜可能に係合する上下二箇所のコネクタ接合口である。
この発明の特徴とするところは、上記基板用電気コネクタ４の筐体４ａの形状と、この基板用電気コネクタ４の上記凹型切欠き２への係合構造にある。すなわち基板用電気コネクタ４は、筐体４ａ後方下半分が切取られて構成された水平な後部底面４ｃと垂直な中間背面４ｄ、及び筐体４ａの両側面上の上下中心部に突出し、コネクタ結合口４ｂから中間背面４ｄの上端まで水平に延在する左右二箇所の固定用エッジ４ｅ、を備えさせたものである。ここで筐体４ａ前部底面から後部底面４ｃまでの高さは筐体４ａの全高の半分であり、また筐体４ａ下部の横断面は凹型切欠き２と同形状である。
基板用電気コネクタ４と凹型切欠き２への係合構造を説明する。基板用電気コネクタ４は筐体４ａの前部底面が凹型切欠き２に嵌合し、後部底面４ｃ、及び左右二箇所の固定用エッジ４ｅの下面が電気回路基板１上面に接して引掛っている。これにより従来の基板用電気コネクタと異なり、基板用電気コネクタ４の筐体４ａは両側面の上下中心部が凹型切欠き２に嵌合し、電気回路基板１の上面上方、及び下面下方への突出量が等しくなっている。ここで後部底面４ｃは二箇所のスルーホール３上で電気回路基板１上面に接している。
また筐体４ａ内部の構成を説明する。５は筐体４ａ内部において二箇所のコネクタ結合口４ｂ付近それぞれに設けられた上下二本の電気接続用のコンタクトである。６は筐体４ａ内部で折り曲げられ、一端が上下二本のコンタクト５それぞれと連結し、他端が後部底面４ｃを下方向に貫通し突出して二箇所のスルーホール３それぞれと係合する上下二本のコネクタピンで、スルーホール３にて電気回路基板１及び電気回路に半田付けで結合されるものである。７は積み重ねられた電気回路基板１の間に設けられるスペーサーである。
ここで図４に示すように上下二本のコネクタピン６は、上側のコネクタピン６ａが筐体４ａ内で直角に折り曲げられており、後部底面４ｄの奥側を貫通している。また下側のコネクタピン６ｂは上側のコネクタピン６ａよりも後部底面４ｄの手前側を貫通し、上側のコネクタピン６ａと近接せずに絶縁が保たれるようコ字型に折り曲げられてコンタクト５と接続される。
【０００９】
このように構成された基板用電気コネクタ取付装置においては、基板用電気コネクタ４はコネクタピン６の先端とスルーホール３が結合されることにより電気回路基板１に固定される。また基板電気用コネクタ４は筐体４ａが凹型切欠き２に嵌合され、且つ左右二箇所の固定用エッジ４ｅが電気回路基板１の上面に引掛ることにより決まった位置に傾くことなく水平に取り付けられる。
【００１０】
また、従来と比べ基板用電気コネクタ４の電気回路基板１上方への突出量を小さくすることができ電気回路基板１の上方への高さを低くすることができる。また代わりに基板用電気コネクタ４が電気回路基板１の下方へ突出することになるが、図５で示すように通常電気回路基板はスペーサー７を複数枚積み重ねて用いられるため、このスペーサー７の長さ以下であれば問題ない。また基板用電気コネクタ４の筐体４ａは樹脂材で構成されており、絶縁は確保される。
【００１１】
また、基板用電気コネクタ４の筐体４ａは電気回路基板１の上面上方、及び下面下方へ突出量が等しく、図５に示すように複数の電気回路基板１を基板用電気コネクタ４が重ならないように互い違いに配置して積み重ねれば、基板用電気コネクタ４の上方、及び下方の突出とのスペースを共有化できるため、大きな省スペース化効果を得ることができる、また積み重ねる基板の枚数が多くなるほどこの効果が大きくなるのはいうまでもない。
【００１２】
また、上下二本のコネクタピン６は後部底面４ｃから突出しスルーホール３に上方向から挿入され、且つ固定用エッジ４ｅは電気回路基板１の上面と接して引掛る為、基板用電気コネクタ４を電気回路基板１に実装する際、切欠き２上方からワンタッチで簡単に嵌合させることができ、またコネクタピン６をスルーホール３、及び電気回路基板１と半田付けで固定する作業がやり易くなる。
【００１３】
実施の形態２．
図６はこの発明の実施の形態２における図１相当図、図７は図３相当図である。実施の形態１において同一または相当部分に同符号を付しているため、説明を省略する。
図において、８は基板用電気コネクタ４の後部底面４ｃから突出するように設けられた固定ピンである。９は電気回路基板１に設けられ固定ピン８と対応する固定ピン用スルーホールである。固定用ピン８はコネクタピン６と同様に電気回路基板１に設けられた固定ピン用スルーホール９を通って、電気回路基板１に半田付けされる。これにより、基板用電気コネクタ４はより強固に固定され、コネクタピン６にかかる外力が軽減される。
また、固定用ピン８はコネクタピン６と同方向から電気回路基板１に挿入されているため、基板用電気コネクタ４を電気回路基板１に実装する際、切欠き２上方からワンタッチで簡単に嵌合させることができ、またコネクタピン６をスルーホール３、及び電気回路基板１と半田付けで固定する作業がやり易くなる。
【００１４】
実施の形態３． 
図８はこの発明の実施の形態３における図７相当図である。
上記実施の形態２では固定用ピン８は基板用電気コネクタ４の後部底面４ｃに設けたが、図８で示すように固定用エッジ４ｅの下面から突出するように設けても良い。これにより、実施の形態２と同様の効果を得るとともに、凹型切欠き２の両側を固定用ピン８によって固定することで、基板用電気コネクタ４の先端部がぐらつくことをより確実に抑えることができる。
【００１５】
実施の形態４． 
図９はこの発明の実施の形態４における図４相当図である。
実施の形態１においては、下側のコネクタピン６ｂのみコ字状に折り曲げられているが、本実施の形態では上側のコネクタピン６ａにおいても筐体４ａ内部のより上方を通るようにコ字状に折り曲げたものである。これにより上下二本のコネクタピン６同士の間隔距離を大きく取ることができ、絶縁耐圧の面で裕度を確保することができる。
【００１６】
実施の形態５．
上記実施の形態１〜４では、基板用電気コネクタ４はコネクタ端子の配列が上下２段としたが、コネクタ端子の配列が上下方向に３段以上、もしくは横方向に配列されていたとしても同様の効果を発揮できることは言うまでもない。
【図面の簡単な説明】
【００１７】
【図１】この発明の実施の形態１における電気回路基板の端面を示す斜視図である。
【図２】この発明の実施の形態１における電気回路基板に基板用電気コネクタが実装された状態を示す斜視図である。
【図３】図２の側面図である。
【図４】基板用電気コネクタの縦断面図である。
【図５】この発明の実施の形態１における電気回路基板を複数枚積み重ねた状態を示す側面図である。
【図６】この発明の実施の形態２における図１相当図である。
【図７】この発明の実施の形態２における図３相当図である。
【図８】この発明の実施の形態３における図７相当図である。
【図９】この発明の実施の形態４においる図４相当図である。
【符号の説明】
【００１８】
１  電気回路基板、
２  凹型切欠き、
３  スルーホール（コネクタピン用）、
４  基板用電気コネクタ、
４ａ  筐体、
４ｂ  コネクタ結合口、
４ｃ  後部底面、
４ｄ  中間背面、
４ｅ  固定用エッジ、
５  コンタクト、
６  コネクタピン、
６ａ  上側のコネクタピン、
６ｂ  下側のコネクタピン、
７  基板間スペーサー、
８、固定ピン、
９、スルーホール（固定ピン用）。
【図１】
2007115538.tif 000003
【図２】
2007115538.tif 000004
【図３】
2007115538.tif 000005
【図４】
2007115538.tif 000006
【図５】
2007115538.tif 000007
【図６】
2007115538.tif 000008
【図７】
2007115538.tif 000009
【図８】
2007115538.tif 000010
【図９】
2007115538.tif 000011